(57)【特許請求の範囲】
【請求項１】
ガイド溝の奥側に幅狭となった接触溝が連設された圧接溝を有し、被覆電線を前記圧接溝に押し込むことにより、被覆を切除して露出された芯線を前記接触溝の接触縁に接触させるようにした圧接端子金具において、
前記接触溝の接触縁には、露出された芯線の一部を食い込ませる抜け止め凹部が形成され、かつこの抜け止め凹部は、前記接触溝と前記ガイド溝との境の部分に臨む位置において、同抜け止め凹部の開口縁の始端と前記ガイド溝の終端とが連続するように形成されることで、この連続する部位が前記被覆電線の被覆を切開可能なエッジとなっていることを特徴とする圧接端子金具。
【発明の詳細な説明】
【０００１】
【発明の属する技術分野】
本発明は、圧接端子金具に関するものである。
【０００２】
【従来の技術】
圧接タイプの端子金具は、例えば図１０に示すように、真直で幅の狭い接触溝１の上方に上広がりのテーパ状となったガイド溝２が連設された圧接溝３を備え、被覆電線Ｗをガイド溝２から接触溝１に向けて押し込むと、ガイド溝２と接触溝１との境の部分４で被覆Ｗｂが切断され、露出した芯線Ｗａが接触溝１の接触縁で挟持されつつ接触が取られるようになっている。
ここで、この種の圧接端子金具が圧接専用のコネクタに収容される場合は、キャビティの側面に被着される蓋板に電線押さえを設けることで、被覆電線Ｗの圧接部分付近を押さえ、電線Ｗが圧接溝３から外れることを阻止する手当が施されている。
【０００３】
【発明が解決しようとする課題】
しかるにこの種の圧接端子金具でも、電線の端末にかしめ圧着された圧着端子金具を収容するいわゆる圧着型のコネクタのキャビティに対して選択的に収容して用いる場合があり得る（特開平１１−３１５４７号等）。この圧着型のコネクタには、キャビティ内で電線を押さえる手当は設けられていないため、圧接端子金具が収容された場合に圧接された被覆電線が押さえられることがなく、被覆電線が外力によって揺さぶられた場合等に圧接溝から浮き上がって抜け出るおそれがあった。
本発明は上記のような事情に基づいて完成されたものであって、その目的は、圧接した電線を圧接溝内で強固に保持できるようにするところにある。
【０００４】
【課題を解決するための手段】
上記の目的を達成するための手段として、請求項１の発明は、ガイド溝の奥側に幅狭となった接触溝が連設された圧接溝を有し、被覆電線を前記圧接溝に押し込むことにより、被覆を切除して露出された芯線を前記接触溝の接触縁に接触させるようにした圧接端子金具において、前記接触溝の接触縁には、露出された芯線の一部を食い込ませる抜け止め凹部が形成され、かつこの抜け止め凹部は、前記接触溝と前記ガイド溝との境の部分に臨む位置において、同抜け止め凹部の開口縁の始端と前記ガイド溝の終端とが連続するように形成されることで、この連続する部位が前記被覆電線の被覆を切開可能なエッジとなっているところに特徴を有する。
【０００５】
【発明の作用及び効果】
芯線が露出した状態で接触溝内に押し込まれると、その一部が接触縁に設けられた抜け止め凹部に食い込む。圧接電線に対して圧接溝から抜ける方向の力が作用した場合にも、芯線の食い込んだ部分が引っ掛かりとなって電線抜けが防止される。抜け止め凹部のエッジが、被覆を切断する場合により有効に機能する。
【０００６】
【発明の実施の形態】
以下、本発明の実施形態を添付図面に基づいて説明する。
＜第１参考例＞
本発明の第１参考例を図１ないし図５によって説明する。
被覆電線Ｗは、撚り線からなる芯線Ｗａの回りに合成樹脂製の被覆Ｗｂを施した公知の構造である。
本参考例の圧接端子金具１０は、金属板をプレス機で順次に切断及び曲げ成形することによって、図１ないし図３に示す形状に形成されており、先端側から順次に、嵌合部１１、圧接部１２及びバレル部１３が設けられている。
【０００７】
嵌合部１１は前後方向に貫通するほぼ角筒形に形成され、その内部には、底壁の前端縁から延出された舌片を後方へ折り返すことによって弾性接触片１５が配されている。この嵌合部１１内には前方から図示しない雄端子金具のタブが差し込まれ、弾性接触片１５と弾性接触するようになっている。
後端側のバレル部１３では、左右一対のかしめ片１７が前後に位置をずらして突設されており、両かしめ片１７が後記する圧接部１２に圧接された被覆電線Ｗに巻き付けられるようにかしめられることで、被覆電線Ｗが圧接端子金具１０に対して圧着されるようになっている。
【０００８】
圧接部１２は、上面開口のチャンネル形に形成されており、左右一対の圧接刃２０からなる圧接刃対２１が前後方向に間隔を開けて２組設けられている。詳細には、図４に示すように、左右の圧接刃２０は、左右の側壁２２から間隔を開けて互いに突き合うようにして平面Ｖ字形に叩き出され、かつそれぞれの上面が、内方に向けて下り勾配の傾斜面とされている。この左右両圧接刃２０の突き合わせ端縁の間に圧接溝２４が形成され、この圧接溝２４は、被覆電線Ｗの芯線Ｗａの直径よりも小さい幅を持った接触溝２５の上方に、次第に上開きとなったガイド溝２６が連設された形状となっている。
そして、接触溝２５の側縁を構成する接触縁２８の上端寄りの位置には、円形が少し欠けた形状になる抜け止め凹部３０が対向して形成されている。
【０００９】
本参考例の作用は以下のようである。圧接を行う場合は、図１の矢線に示すように、被覆電線Ｗの端末が前後の圧接刃対２１における圧接溝２４のガイド溝２６にわたって載置され、図示しない押圧治具によって、前後の圧接刃対２１の間並びにその前後両側の位置で被覆電線Ｗが押し込まれる。
被覆電線Ｗは、図４に示す状態から、接触溝２５とガイド溝２６の境の部分２７に押し付けられることで被覆Ｗｂに切れ目が入れられ、引き続き押し込まれることにより、図５に示すように、被覆Ｗｂが捲り上げられつつ芯線Ｗａが露出され、剥き出しとなった芯線Ｗａが接触溝２５内に押し込まれて両接触縁２８で挟持されることにより接触が取られる。そのとき、芯線Ｗａの一部が抜け止め凹部３０に食い込んだ状態となる。
なお、上記の圧接動作に伴い、被覆電線Ｗにおける圧接部分の後方位置がバレル部１３にかしめ圧着される。
【００１０】
このように本参考例によれば、接触溝２５の接触縁２８に抜け止め凹部３０を設けたから、接触を取るべく芯線Ｗａが露出した状態で接触溝２５内に押し込まれたときに、その一部が抜け止め凹部３０に食い込み、したがって圧接後の被覆電線Ｗに対して圧接溝２４から抜ける方向の力が作用した場合にも、芯線Ｗａの食い込んだ部分が引っ掛かりとなって電線抜けが防止される。また接触溝２５内で芯線Ｗａがずれることが抑えられて、安定した圧接状態が得られ、ひいては接続の信頼性が高められる。
【００１１】
＜第１実施形態＞
図６及び図７は本発明の第１実施形態を示す。この第１実施形態では、抜け止め凹部３０が、圧接溝２４における接触溝２５とガイド溝２６との境の部分２７に臨んで形成されている。
この第１実施形態では、上記第１参考例の効果に加え、特に抜け止め凹部３０の上側のエッジ３２が、被覆電線Ｗの被覆Ｗｂに良く食い込んでそれを切開する場合に有用となる。
【００１２】
＜第２参考例＞
図８及び図９は本発明の第２参考例を示す。この第２参考例は、いわゆる一枚刃タイプの圧接端子金具４０に適用した例を示す。
すなわち圧接部４１では、左右の側壁４２から、一対の圧接刃４３が間隔を開けて互いに突き合うように直角に切り起こされ、両圧接刃４３の突き合わせ端縁の間に圧接溝４４が形成されており、この圧接溝４４は、被覆電線Ｗの芯線Ｗａの直径よりも小さい幅を持った接触溝４５の上方に、次第に上開きとなったガイド溝４６が連設された形状となっている。
そして、接触溝４５の側縁を構成する接触縁４８の上端寄りの位置には、円形が少し欠けた形状になる抜け止め凹部５０が対向して形成されている。
【００１３】
この第２参考例では、被覆電線Ｗが圧接溝４４に押し込まれると、接続溝４５とガイド溝４６の境の部分４７で被覆Ｗｂに切れ目が入れられて、引き続き押し込まれることにより被覆Ｗｂが切断され、図９に示すように、剥き出しとなった芯線Ｗａが接触溝４５の両接触縁４８で挟持されて接触が取られる。このとき、芯線Ｗａの一部が抜け止め凹部５０に食い込んだ状態となって、同様に電線抜けが防止される。
【００１４】
第２参考例のような１枚刃タイプのものについても、抜け止め凹部５０を、接触溝４５とガイド溝４６との境の部分４７に臨んで形成してもよい。同様に、抜け止め凹部５０の上側のエッジが、被覆電線Ｗの被覆Ｗａに良く食い込んでそれを切断する場合に有用となる。
【００１５】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）同じ１枚刃タイプでも、予め圧接溝の形成された正に１枚の圧接刃を底板から切り起こして設けた構造のものもあり、このようなものにも本発明は同様に適用することが可能である。
（２）雄側の圧接端子金具にも同様に適用可能である。
【図面の簡単な説明】
【図１】  本発明の第１参考例の一部切欠斜視図
【図２】  その平面図
【図３】  その側面図
【図４】  その横断面図
【図５】  圧接完了時の同図
【図６】  第１実施形態の横断面図
【図７】  圧接刃の正面図
【図８】  第２参考例の横断面図
【図９】  圧接完了時の同図
【図１０】  従来例の横断面図
【図１】
0003719113.tif 000002
【図２】
0003719113.tif 000003
【図３】
0003719113.tif 000004
【図４】
0003719113.tif 000005
【図５】
0003719113.tif 000006
【図６】
0003719113.tif 000007
【図７】
0003719113.tif 000008
【図８】
0003719113.tif 000009
【図９】
0003719113.tif 000010
【図１０】
0003719113.tif 000011